(57)【特許請求の範囲】
【請求項１】
電気−音響変換素子を内蔵し一面から前記電気−音響変換素子の音響出力を放射する本体と、
前記本体の側部に設けた支軸部と、
前記支軸部から前記本体の外周部にほぼ沿いながら略半円弧状に伸び先端部が前記支軸部の支軸を中心に前記電気−音響変換素子の音響出力を放射する一面に向けて付勢力を与えられ、かつ付勢力に抗してこの一面から離れる方向に回動可能で前記先端部に対する前記支軸と反対側に指掛け部を設けた耳掛け部とを備え、
前記指掛け部を前記本体方向に押圧することにより前記支軸を中心に前記耳掛け部を前記電気−音響変換素子の音響出力を放射する一面から離れる方向に回動するとともに前記指掛け部への押圧をやめることによって前記耳掛け部が前記付勢力により前記電気−音響変換素子の音響出力を放射する一面に接近することを特徴とする耳掛け形ヘッドホン。
【請求項２】
前記耳掛け部の付勢力は一端を本体内部に固定し他端を指掛け部裏側に当接させたばねによることを特徴とする請求項１記載の耳掛け形ヘッドホン。
【発明の詳細な説明】
【０００１】
【発明の属する技術分野】
本発明はオーディオ信号を再生聴取するための耳掛け形ヘッドホンの装着性を改良したものに関する。
【０００２】
【従来の技術】
近年、携帯用音響機器の発展に伴い、ヘッドホンが多く用いられるようになった。ヘッドホンには従来からのバンドを用いて頭上に載せるタイプ、耳介腔内に挿入するタイプに加えて、耳介に掛けて用いる耳掛け形も多く用いられるようになってきた。図７は従来の耳掛け形ヘッドホンの構成を示す斜視図で、本体２１の上部から突き出た保持部２２に耳掛け部２３の一端が保持されており、この耳掛け部２３は本体２１の外周に沿って半円弧状に伸びており、自身の弾性か、または図示しないが、この保持部内部のスプリング等によって、耳掛け部２３の先端部２３ａが本体２１に接近するように付勢されている。
【０００３】
装着の際には、この先端部２３ａが本体部２１から離れるように指で操作しながら、先端部２３ａを耳介と頭部との間のくびれた部分に挿入し、耳掛け部２３を耳介後部に回して引っ掛けるように装着するものであった。
【０００４】
【発明が解決しようとする課題】
しかしこのような装着方法は指先で耳掛け部２３の先端部２３ａを開きながら耳介の後ろ側に持っていくなど器用な操作を必要とし、目視できない場所なので手探りで勘に頼って耳に装着するためにかなり慣れが必要なものであった。
【０００５】
本発明は上記従来の問題点を解消し、上手下手なくだれでも装着しやすい耳掛け形ヘッドホンを提供するためになされたものである。
【０００６】
【課題を解決するための手段】
上記目的を達成するための本発明の耳掛け形ヘッドホンの請求項１の構成は、電気−音響変換素子を内蔵し一面から前記電気−音響変換素子の音響出力を放射する本体と、前記本体の側部に設けた支軸部と、前記支軸部から前記本体の外周部にほぼ沿いながら略半円弧状に伸び先端部が前記支軸部の支軸を中心に前記電気−音響変換素子の音響出力を放射する一面に向けて付勢付勢力を与えられ、かつ付勢力に抗してこの一面から離れる方向に回動可能で前記先端部に対する前記支軸と反対側に指掛け部を設けた耳掛け部とを備え、前記指掛け部を前記本体方向に押圧することにより前記支軸を中心に前記耳掛け部を前記電気−音響変換素子の音響出力を放射する一面から離れる方向に回動するとともに前記指掛け部への押圧をやめることによって前記耳掛け部が前記付勢力により前記電気−音響変換素子の音響出力を放射する一面に接近することを特徴とするものである。
【０００７】
また本発明の耳掛け形ヘッドホンの請求項２の構成は、請求項１の構成において、前記耳掛け部の付勢力は一端を本体内部に固定し他端を指掛け部裏側に当接させたばねによることを特徴とするものである。
【０００８】
これらの構成により、指掛け部と、この指掛け部の反対側の本体側部とを片手の二本の指でつまんで押圧し、耳掛け部が電気−音響変換素子の発音を放射する一面から離れる方向に回動させ、耳掛け部の先端を耳介と頭部の間のくびれた部分へ挿入し、そのまま耳掛け部の先端部が耳介後部へ回り込むように押し下げて指を離せば容易に耳に装着できるように作用する。
【０００９】
【発明の実施の形態】
以下図面に基づいて本発明の耳掛けヘッドホンの一実施形態について説明する。図１は本実施形態の耳掛け形ヘッドホンの片耳分の構成を示す図面で図１（ａ）は側面図、図１（ｂ）は側断面図、図１（ｃ）は同じく耳掛け部を回動させたときの側断面図、図２は同じく支軸部周辺の断面図、図３は同じく外観斜視図、図４は２個を一体として両耳用としたときの構成図、図５は耳に装着しようとする場合の操作説明図、図６は耳介に装着したときの状態を示す説明図である。これらの図では図４を除いてすべて左耳用のもののみの形状を示している。
【００１０】
図１において前部ハウジング１内部には電気−音響変換素子であるスピーカユニット２が取り付けられ、詳細は図示しないが、スピーカユニット２の前面（図の左方）に向けてスピーカ２の音響出力を放射するので前部ハウジング１のその前にある部分には多数の音孔１ａを設けている。そしてこのスピーカユニット２と前部ハウジング１の前面はたとえば布とか発泡ポリウレタン等の通気性があって肌に柔らかく当接する材料でできたイヤーパッド３で覆われていて、スピーカユニット２から出た音はこの面から放射される。
【００１１】
後部ハウジング４は前部ハウジング１に対して、複数のフック４ａと前部ハウジングのロック部１ｂとで、はめこみによって固定され一体化されている。この固定方法は一例であってねじ止め等他の方法でもよい。後部ハウジング４の上部の側面には支軸部５が突出しており、この支軸部５は図１の右方から見た支軸６を通る断面を示す断面図の図２に見られるように５ａと５ｂとに分かれており、それぞれから支軸６が凸出しており、この２つの部分に挟まれるように耳掛け部７が孔７ｄで回動可能に軸支されており、耳掛け部７は支軸部５ａ，５ｂから図１の左方に向けて少し伸びた後に途中で紙面の裏側に向けて略９０度に曲げられ、そのまま前部ハウジング部１の外周部にほぼ沿いながら略半円弧状に伸び、先端部７ａは少し丸みを持たせて耳介に装着するときに肌を刺激しないようにしている。支軸６に対して先端部７ａの反対側は短い指掛け部７ｂとなっており、この指掛け部７ｂの内側７ｃと後部ハウジング４の凹部４ｂとの間に略逆Ｕ字形のスプリング８が介在し、スプリング８の一端は内側７ｃに当接し他端は略９０度に曲げられて後部ハウジングに設けた突起４ｃと４ｄの間に差し込まれ、この部分は長さ方向または幅方向に曲げられていることによりがたつきなく固定されていて、指掛け部７ｂを外側に向けて付勢し、すなわち先端部７ａを前部ハウジング１の、音の出る面に向けて付勢することとなる。
【００１２】
指掛け部７ｂの外側は細かい突起を設けた滑り止め部７ｃとなっている。スピーカユニットへ２へ接続するコード９はブッシング１０で保護されてハウジング４の孔４ｅから引き出されている。ここではすべて左耳用のものを説明したが、右耳用のものは音の出る面に対して面対称になるように構成すればよい。
【００１３】
以上のように構成され、ついでその耳への装着動作を説明する。一般に図４のように両耳に装着するために左右２個で構成され、先端にオーディオ機器などに接続するプラグ１１を設けたコード９で接続されているが、ここでは引き続き左耳に装着する場合を説明する。図５のように左手の親指と人差し指を使い、親指をハウジング下方に、人差し指を指かけ部７ｂに掛け、人差し指を矢印Ａ方向に押し込む。すると耳掛け部７の先端部７ａはスプリング８の付勢力に抗して支軸６を中心に図の矢印Ｂ方向に回動し、耳掛け部７は前部ハウジング１の前面から離れるようになる。この状態で、図６のように指掛け部７ｂがすこし前方になるように傾けて耳掛け部７の先端部７ａを耳介１２の後部と頭部１３との間のくびれたところに押し込み、先端部７ａを耳介１２の後方に回るように矢印Ｃ方向に押し下げ、指掛け部７ｂを押していた人差し指を離せば耳に安定に装着される。右耳用も右手を使って同じように操作すればよい。このように本実施形態の耳掛け形ヘッドホンは容易な操作によって耳にしっかりと装着することができる。
【００１４】
【発明の効果】
以上説明したように本発明の耳掛け形ヘッドホンは、指掛け部を本体方向に押圧することにより支軸を中心に耳掛け部を電気−音響変換素子の音響出力を放射する一面から離れる方向に回動するとともに前記指掛け部への押圧をやめることによって前記耳掛け部が前記付勢力により前記電気−音響変換素子の音響出力を放射する一面に接近するので、指掛け部と、この指掛け部の反対側の本体側部とを片手の二本の指でつまんで押圧し、耳掛け部が電気−音響変換素子の発音を放射する一面から離れる方向に回動させ、耳掛け部の先端部を耳介と頭部の間のくびれた部分へ挿入し、そのまま耳掛け部の先端部が耳介後部へ回り込むように押し下げて指を離せばだれでも容易に上手下手なく耳に装着できるという優れた効果を得られるものである。
【図面の簡単な説明】
【図１】本実施形態の耳掛け形ヘッドホンの片耳分の構成を示す図
（ａ）側面図
（ｂ）側断面図
（ｃ）同じく耳掛け部を回動させたときの側断面図
【図２】同じく支軸部周辺の断面図
【図３】同じく外観斜視図
【図４】２個を一体として両耳用としたときの構成図
【図５】耳に装着しようとする場合の操作説明図
【図６】耳介に装着したときの状態を示す説明図
【図７】従来の耳掛け形ヘッドホンの構成を示す斜視図
【符号の説明】
１  前部ハウジング
２  スピーカユニット
３  イヤーパッド
４  後部ハウジング
５  支軸部
６  支軸
７  耳掛け部
７ａ  先端部
７ｂ  指掛け部
８  スプリング
９  コード
【図１】
0003945119.tif 000002
【図２】
0003945119.tif 000003
【図３】
0003945119.tif 000004
【図４】
0003945119.tif 000005
【図５】
0003945119.tif 000006
【図６】
0003945119.tif 000007
【図７】
0003945119.tif 000008